(57)【要約】【課題】  プリンタ仕向け先設定などの初期設定を、ユーザ元で容易に行うことを目的とする。【解決手段】  電源投入用のスイッチとその他に少なくとも一つ以上のスイッチと、これらのスイッチ押下パターン組み合わせによって内部設定用のモードに入る制御部と、紙の搬送機能と、搬送する紙の長さを検出する紙端センサを有し、紙端センサから得られる紙の搬送方向の長さ情報を内部設定に利用する記録装置。仕向け先情報を示す設定用紙を記録装置に同梱し、ユーザ元において記録装置を設定モードに移行させ、この設定用紙を紙搬送させることで多様な設定を行う。上記の記録装置は、内部設定用モードにおいて搬送される紙の長さ情報と、仕向け先設定に必要な言語設定や制御設定等の情報を対応させるテーブルを記憶しており、このテーブルに基づいて設定を行う。【選択図】  図１
2007199103.tif 000002
【特許請求の範囲】
【請求項１】
画像記録時に記録紙を搬送するための搬送手段と、前記搬送手段によって搬送される記録紙の搬送方向の紙端を検出するための検出手段と、前記検出手段の検出結果から、搬送される記録紙の長さを計測する計測手段とを有する記録装置において、前記計測手段の計測結果に基づいて、装置内の内部設定を行うことを特徴とする記録装置。
【請求項２】
前記計測手段の計測結果に基づいて、国別の仕向け先を設定することを特徴とする請求項１に記載の記録装置。
【請求項３】
前記計測手段の計測結果に基づいて、計測した紙の長さ情報と、あらかじめ設定された設定情報を一対一で対応させる手段を有していることを特徴とする請求項１乃至請求項２に記載の記録装置。
【発明の詳細な説明】
【技術分野】
【０００１】
本発明は、仕向け先設定など設定情報を入力する必要のある記録装置に関する。
【背景技術】
【０００２】
複数の国や地域に出荷され使用される電気機器は、各仕向け先に応じて電源仕様、変倍仕様、表示言語などソフトおよびハードウェアを変更しなければない。しかし、仕向け先地域毎にハードウェアを製造すると、機種が多数にわたり、管理が煩雑になる。また市場展開の柔軟性も損なわれる。この問題に対して、近年ハードウェアは全世界向けに統一し、ハードウェアの制御方法を地域毎に切り替える事で、多数の仕向け先に対応する工夫がなされている。この仕向け先の切り替え方法の簡略化手法が、特開平10-247124号公報、特開2005-45603号公報等に示されている。例えば特開平10-247124号公報では、複数の仕向け先用制御プログラムをROMに有しており、出荷前の工場モードにおいて任意の仕向け先用プログラムを選択し、選択結果を保存しておく技術である。この技術によって、従来マイコン入出力ポートのプルアップダウンで行っていた仕向け先設定を、簡略化できるとしている。また特開2005-45603号公報では、従来英語が主流であったデフォルト言語を、工場出荷時において仕向け先に応じた言語に設定する技術である。この技術によって英語を理解しないユーザが、英語から自国の言語に言語設定し直す煩わしさから開放されるとしている。
【０００３】
さらに特開平5-300397号公報では、複数の仕向け先に出荷されるテレビにおいて、同梱するリモコンの送信データフォーマットに仕向け先設定情報を重畳する技術が提案されている。また記録装置の仕向地設定手法としては、特開平2001-215848号公報等があげられる。特開平2001-215848号公報では、電圧または電源周波数を検出する検出部によって、装置自体が凡その仕向け先地域を認識する。この検出動作だけで仕向け先が唯一に確定できない場合には、さらにユーザによるパネル操作によって仕向け先設定を行う手法が発案されている。
【０００４】
しかしながら特開平10-247124号公報、特開2005-45603号公報に示される仕向け先設定手法では工場における設定作業が必要な為、製品を梱包した後に仕向け先変更の必要が生じた場合、開梱、電源投入、設定と多くの手数がかかってしまう。これに対して特開平5-300397号公報の発明は、同梱するリモコンを入れ替えることで容易に仕向け先変更が可能であるが、記録装置の様にリモコンを有しない製品には適用が困難である。一方、特開平2001-215848号公報に示される手法は、ユーザ元での仕向け先設定となる為、仕向け先変更への対応は容易であるが、電源電圧や電源周波数検出のセンサや、柔軟な表示機能を有するパネルが必須である。よってそれらを搭載する為のコスト増を免れない。
【特許文献１】特開平１０−２４７１２４号公報
【特許文献２】特開２００５−４５６０３号公報
【特許文献３】特開平５−３００３９７号公報
【特許文献４】特開２００１−２１５８４８号公報
【発明の開示】
【発明が解決しようとする課題】
【０００５】
上述してきたように、仕向け先設定は出荷前に工場でおこなう手法と、出荷後にユーザ元で行う手法に分けられるが、従来提案されている設定手法簡易化の問題点は以下の通りである。
【０００６】
第一に、工場における設定を要する手法の場合、梱包済みの製品について仕向け先を変更する必要が出た際に、開梱作業や設定作業に多くの手間と時間がかかってしまう。
【０００７】
第二に、ユーザ元での仕向け先設定手法には、仕向け先設定に使用する何らかの追加装置が必要であり、これがコスト増の要因となる。また複雑な設定を要する場合、ユーザに対する負荷が大きくなってしまう。
【０００８】
本発明はこれらの問題を解決する為、記録装置に元々搭載されている紙端センサを設定情報の入力装置として用い、仕向け先設定を行うものである。その目的は、工場における仕向け先設定を廃し、また特別な仕向け先設定用の装置を追加する事無く、ユーザ元での仕向け先設定を行える記録装置を提供することにある。本発明によって、情報表示機能の少ない一般消費者向けの単機能記録装置等でも、設定情報を容易に入力することが出来る。
【課題を解決するための手段】
【０００９】
電源投入用のスイッチとその他に少なくとも一つ以上のスイッチと、これらのスイッチ押下パターン組み合わせによって内部設定用のモードに入る制御部と、紙の搬送機能と、搬送する紙の長さを検出する紙端センサを有し、紙端センサから得られる紙の搬送方向の長さ情報を内部設定に利用する記録装置。仕向け先情報を示す設定用紙を記録装置に同梱し、ユーザ元において記録装置を設定モードに移行させ、この設定用紙を紙搬送させることで多様な設定を行う。上記の記録装置は、内部設定用モードにおいて搬送される紙の長さ情報と、仕向け先設定に必要な言語設定や制御設定等の情報を対応させるテーブルを記憶しており、このテーブルに基づいて設定を行う。
【発明の効果】
【００１０】
本発明によって、工場における仕向け先設定作業を廃することができる。また梱包済み製品の仕向け先変更は、同梱する設定用紙と設定手法をユーザに知らせる説明書の入れ替えだけでよい。加えて、多くの設定情報を紙の搬送方向長さに対応させる事で、ユーザ元での設定作業を簡易にすることができる。本発明は、記録装置に標準的に搭載されている紙端センサを、設定情報入力装置として使用する事を特徴とするため、特別な装置を追加する必要がなくコスト増もない。
【発明を実施するための最良の形態】
【００１１】
本発明の実施形態を以下に図を用いて示す。
【実施例１】
【００１２】
本発明による、ユーザ元での記録装置仕向け先設定実施例を説明する。実施例1は一枚の設定用紙で全ての設定を行う事例を示している。図1は、本発明による記録装置仕向け先設定の模式図である。図2は制御部が有するプログラムのシーケンス。図3は搬送方向紙幅と仕向け先設定内容を示す設定テーブルの一例である。
【００１３】
図1に示されるように、仕向け先設定の為に記録装置に必要な構成要素は、1：スイッチ1、2：スイッチ2、3：紙端センサ、4：設定モード用のプログラムおよび設定テーブル保持用のROMを持つ制御部である。図1の構成を持つ記録装置において、図2のシーケンスによって設定を行う。ユーザは同梱の設定用紙を記録装置にセットし、電源を投入する（S1）。次に1および2のスイッチを、仕向け先設定モードに移行する押下パターンで押す（S2）。記録装置制御部4はこの押下パターンを検出するとROM5から設定モード用のプログラムを呼び出し（S5）、プログラムはG1のシーケンスで動作する。まず紙搬送を開始し、あらかじめセットされている設定用紙を給紙する（S6）。紙端センサはこの設定用紙の上端と下端を検出する。上端検出時（S7）から下端検出時（S8）の間の紙送り量を記録し、設定用紙の長さLを検出する（S9）。検出した長さL1を、ROM5に記録されている図3の設定テーブルと比較する。例えば、L1がx[mm]だった場合、設定プログラムは設定用紙が「日本向け」であると判断し、設定情報を反映した動作へ移行する（S11）。また設定情報をROM5へ保存し（S12）、次回以降の起動からはこの情報に基づいて動作する（S3）。以上で仕向け先設定は完了し（S13）、以降は通常動作を行う。S10において、L1が保有する設定テーブルのどの情報とも一致しない場合、設定未完了でエラー終了する（S14）。ユーザはこの場合、電源の再度投入（S1）から設定をやり直すことになる。
【実施例２】
【００１４】
本発明による、ユーザ元での記録装置仕向け先設定実施例を説明する。実施例2は各設定情報を、それぞれに対応する設定用紙で個別に設定する事例を示している。図4は、は制御部が有するプログラムのシーケンス。図5は搬送方向紙幅と設定項目および設定内容を示す設定テーブルの一例である。図5に示されるように個別設定においては、設定内容が項目分けされている。設定方法は項目を指定した後、内容を決める手順となる。この手順を図4に示す。
【００１５】
ユーザは設定項目、設定内容の順で同梱の設定用紙を記録装置にセットする。この時、多数の項目を設定したい場合は、重ねて設定用紙をセットし、電源を投入する（Q1）。次に1および2のスイッチを、設定モードに移行する押下パターンで押す（Q2）。記録装置制御部4はこの押下パターンを検出するとROM5から設定モード用のプログラムを呼び出し（Q5）、G2のシーケンスによって設定項目を検知、続いてG3のシーケンスによって設定内容を検知する。まず紙搬送を開始し、あらかじめセットされている設定用紙を給紙する（Q6）。紙端センサはこの項目設定用紙の上端と下端を検出する。上端検出時（Q7）から下端検出時（Q8）の間の紙送り量を記録し、設定用紙の長さL2を検出する（S9）。検出した長さL2を、ROM5に記録されている図5の設定テーブルと比較する。例えば、L2がa[mm]だった場合（R1）、設定項目が「言語設定」であると判断し、次に設定内容の検出シーケンスG3に移行する（Q10）。設定項目と同様にQ13〜Q17によって設定内容を検出し設定（Q19）と設定の保存を行う（Q20）。たとえば設定用紙長さL2がa1[mm]だった場合（R3）、言語は「日本語」となる。その後Q21において、次の設定情報があるかどうかを給紙動作によって検知、用紙が無ければ設定完了となる（Q22）。用紙がまだセットされていれば、Q6に戻り他の設定を再開する。全ての設定が終了した時点で、通常動作に戻る（Q3）。
【図面の簡単な説明】
【００１６】
【図１】本発明の実施例１を説明する為の図である。
【図２】本発明の実施例１を説明する為の図である。
【図３】本発明の実施例１を説明する為の図である。
【図４】本発明の実施例２を説明する為の図である。
【図５】本発明の実施例２を説明する為の図である。
【図１】
2007199103.tif 000003
【図２】
2007199103.tif 000004
【図３】
2007199103.tif 000005
【図４】
2007199103.tif 000006
【図５】
2007199103.tif 000007